【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
回路であって、
３レベル降圧コンバータのための制御システム
を備え、前記３レベル降圧コンバータは、複数の入力スイッチを含み、前記入力スイッチの各々は、複数の異なるパルス幅変調信号のうちの１つを受け、前記制御システムは、
第１のクロック信号及び第２のクロック信号と、前記第２のクロック信号は、前記第１のクロック信号の位相シフトバージョンである、
前記第１のクロック信号及び前記第２のクロック信号を受け、それぞれ前記第１のクロック信号及び前記第２のクロック信号から第１のランプ信号及び第２のランプ信号を生成するランプ発生回路と、
前記第１のランプ信号を受け、それから前記パルス幅変調信号のうちの第１のパルス幅変調信号を生成する第１の比較回路と、
前記第２のランプ信号を受け、それから前記パルス幅変調信号のうちの第２のパルス幅変調信号を生成する第２の比較回路と
を含み、
前記回路は、追加の３レベル降圧コンバータのための追加の制御システムを更に備え、ここにおいて、前記追加の制御システムは、第３のクロック信号及び第４のクロック信号を受け、更に、前記第４のクロック信号は、前記第３のクロック信号の位相シフトバージョンであり、前記第１のクロック信号及び前記第２のクロック信号は、前記第３のクロック信号及び前記第４のクロック信号に対して９０度位相シフトされている、
回路。
【請求項２】
前記３レベル降圧コンバータの前記出力電圧と基準電圧とから誤差信号を生成するように構成された誤差回路
を更に備える、請求項１に記載の回路。
【請求項３】
前記降圧コンバータは、４つの入力スイッチを備え、前記入力スイッチのうちの２つの第１のサブセットは、前記パルス幅変調信号のうちの前記第１のパルス幅変調信号を受けるように構成され、前記入力スイッチのうちの２つの第２のサブセットは、前記パルス幅変調信号のうちの前記第２のパルス幅変調信号を受けるように構成される、請求項１に記載の回路。
【請求項４】
前記第２のクロック信号は、前記第１のクロック信号に対して１８０度位相シフトされている、請求項３に記載の回路。
【請求項５】
前記第１のランプ信号及び前記第２のランプ信号は両方とも、上りランプ部分及び下りランプ部分を含む、請求項１に記載の回路。
【請求項６】
前記３レベル降圧コンバータの出力電圧と基準電圧とに基づいて誤差信号を生成するように構成された誤差回路を更に備え、前記第１の比較回路は、前記誤差信号及び前記第１のランプ信号から、前記パルス幅変調信号のうちの前記第１のパルス幅変調信号を発生させるように構成される、
請求項１に記載の回路。
【請求項７】
前記第１のクロックを受けるように構成された、及び前記第２のクロックを発生させるように構成されたインバータを有する回路を更に含む、請求項１に記載の回路。
【請求項８】
前記制御システムは、前記３レベル降圧コンバータの出力電圧を受けるように構成された、及び前記出力電圧を受けることに応答して前記第１のパルス幅変調信号及び前記第２のパルス幅変調信号のデューティサイクルを変動するように構成されたパルス幅変調コントローラを備える、
請求項１に記載の回路。
【請求項９】
前記出力電圧のフィードバック経路内に補償ネットワークを更に備え、前記補償ネットワークは、１次制御システムに帰着するように、少なくとも、前記３レベル降圧コンバータの極又はゼロを補償するように構成される、
請求項８に記載の回路。
【請求項１０】
３レベル降圧コンバータを制御するための方法であって、
第１のクロックと第２のクロックとを受けることと、ここにおいて、前記第２のクロックは、前記第１のクロックの位相シフトバージョンである、
それぞれ前記第１のクロック及び前記第２のクロックに基づいて第１のランプ信号及び第２のランプ信号を生成することと、
前記第１のコンパレータにおいて前記第１のランプ信号を受け、前記第２のコンパレータにおいて前記第２のランプ信号を受けることと、
前記第１のコンパレータにおいて、前記第１のランプ信号から第１のパルス幅変調信号を発生させることと、
前記第２のコンパレータにおいて、前記第２のランプ信号から第２のパルス幅変調信号を発生させることと、
前記３レベル降圧コンバータの入力スイッチの第１のサブセットに前記第１のパルス幅変調信号を出力し、前記３レベル降圧コンバータの入力スイッチの第２のサブセットに前記第２のパルス幅変調信号を出力することと、
追加の３レベル降圧コンバータを制御するために第３のパルス幅変調信号及び第４のパルス幅変調信号を生成すること
を備え、前記第３のパルス幅変調信号及び前記第４のパルス幅変調信号は、前記第１のパルス幅変調信号及び前記第２のパルス幅変調信号に対して９０度位相シフトされている、
方法。
【請求項１１】
前記３レベル降圧コンバータからの出力電圧をパルス幅変調信号コントローラに受け入れることと、前記３レベル降圧コンバータは、前記パルス幅変調信号コントローラによって生成される前記第１のパルス幅変調信号及び前記第２のパルス幅変調信号によって制御される、
前記出力電圧から及び基準電圧から誤差信号を生じ、前記第１のコンパレータ及び前記第２のコンパレータに前記誤差信号を供給することと、
を更に備え、前記第１のパルス幅変調信号を発生させることは、前記誤差信号を前記第１のランプ信号と比較することを含み、前記第２のパルス幅変調信号を発生させることは、前記誤差信号を前記第２のランプ信号と比較することを含む、
請求項１０に記載の方法。
【請求項１２】
前記第１のクロックを反転することで前記第２のクロックを発生させること、
を更に備える、請求項１０に記載の方法。
【請求項１３】
前記３レベル降圧コンバータは、４つの入力トランジスタを含み、前記方法は、
２つの入力トランジスタの第１のサブセットが、前記パルス幅変調制御信号のうちの第１のパルス幅変調制御信号を受けることと、
２つの入力トランジスタの第２のサブセットが、前記パルス幅変調制御信号のうちの第２のパルス幅変調制御信号を受けることと
を更に含み、前記第１のパルス幅変調制御信号及び前記第２のパルス幅変調制御信号は、互いに対して１８０度位相シフトされている、
請求項１０に記載の方法。
【請求項１４】
前記第１のランプ信号及び前記第２のランプ信号は、上り及び下りランプ信号を備える、請求項１０に記載の方法。
【請求項１５】
電圧調節回路であって、
４つの入力スイッチを有する３レベル降圧コンバータと、前記４つの入力スイッチの第１のサブセットは、第１のパルス幅変調信号を受けるように構成され、前記４つの入力スイッチの第２のサブセットは、第２のパルス幅変調信号を受けるように構成される、
前記３レベル降圧コンバータと通信状態にあり、前記第１のパルス幅変調信号及び前記第２のパルス幅変調信号を供給するように構成されたパルス幅変調信号コントローラと、
を備え、前記パルス幅変調信号コントローラは、
前記３レベル降圧コンバータの出力電圧と基準信号とを受けるように構成された及び誤差信号を出力するように構成された誤差回路と、
第１のクロック及び第２のクロックを受けるように構成されたランプ発生回路と、前記第２のクロックは、前記第１のクロックの位相シフトバージョンであり、前記ランプ発生回路は、それぞれ前記第１のクロック及び前記第２のクロックから第１のランプ信号及び第２のランプ信号を発生させるように構成される、
前記誤差信号と前記第１のランプ信号とを受けるように、及びそれに応答して前記第１のパルス幅変調信号を出力するように構成された第１のコンパレータと、
前記誤差信号と前記第２のランプ信号とを受けるように及びそれに応答して前記第２のパルス幅変調信号を出力するように構成された第２のコンパレータと
を備え、
前記電圧調節回路は、追加の３レベル降圧コンバータを制御するように構成された追加のパルス幅変調信号コントローラを更に備え、前記追加のパルス幅変調信号コントローラは、前記別の３レベル降圧コンバータのために第３のクロック及び第４のクロックを発生させるように構成され、更に、前記第３のクロック及び前記第４のクロックは、前記第１のクロック及び前記第２のクロックに対して９０度位相シフトされている、
電圧調節回路。
【請求項１６】
前記電圧調節回路は、システムオンチップの一部であり、処理コアに動力供給するように構成される、請求項１５に記載の電圧調節回路。
【請求項１７】
前記第２のクロック信号は、前記第１のクロック信号に対して１８０度位相シフトされている、請求項１５に記載の電圧調節回路。
【請求項１８】
前記第１のランプ信号及び前記第２のランプ信号は両方とも、上りランプ部分及び下りランプ部分を含む、請求項１５に記載の電圧調節回路。
【請求項１９】
前記第１のクロックから前記第２のクロックを発生させるように構成されたインバータ回路を更に含む、請求項１５に記載の電圧調節回路。
【請求項２０】
回路であって、
３レベル降圧コンバータと、
前記３レベル降圧コンバータを制御するように構成されたパルス幅変調信号コントローラと
を備え、前記パルス幅変調信号コントローラは、
第１のクロック信号から第１のランプ信号を、第２のクロック信号から第２のランプ信号を生成するための手段と、ここにおいて、前記第２のクロック信号は、前記第１のクロック信号の位相シフトバージョンである、
前記第１のランプ信号から前記第１のパルス幅変調信号を発生させるための手段と、
前記第２のランプ信号から前記第２のパルス幅変調信号を発生させるための手段と
を含み、前記第１のパルス幅変調信号を発生させるための前記手段及び前記第２のパルス幅変調信号を発生させるための前記手段は、前記３レベル降圧コンバータの電圧出力のレベルに応答して、前記第１のパルス幅変調信号及び前記第２のパルス幅変調信号を発生させるように構成され、
前記回路は、追加の３レベル降圧コンバータのために追加のパルス幅変調信号コントローラを更に備え、前記追加のパルス幅変調信号コントローラは、第３のクロック信号及び第４のクロック信号を受けるように構成され、更に、前記第４のクロック信号は、前記第３のクロック信号の位相シフトバージョンであり、前記第１のクロック信号及び前記第２のクロック信号は、前記第３のクロック信号及び前記第４のクロック信号に対して９０度位相シフトされている、
回路。
【請求項２１】
前記パルス幅変調信号コントローラは、
前記３レベル降圧コンバータの前記電圧出力及び基準電圧から誤差信号を発生させるための手段
を更に備え、前記第１のパルス幅変調信号を発生させるための前記手段及び前記第２のパルス幅変調信号を発生させるための前記手段は、前記誤差信号に応答して、それぞれ前記第１のパルス幅変調信号及び前記第２のパルス幅変調信号を発生させるように構成される、
請求項２０に記載の回路。
【請求項２２】
前記降圧コンバータは、４つの入力スイッチを備え、前記入力スイッチのうちの２つの第１のサブセットは、前記第１のパルス幅変調信号を受けるように構成され、前記入力スイッチのうちの２つの第２のサブセットは、前記第２のパルス幅変調信号を受けるように構成される、請求項２０に記載の回路。
【請求項２３】
前記第２のクロック信号は、前記第１のクロック信号に対して１８０度位相シフトされている、請求項２０に記載のパルス幅変調信号コントローラ。
【請求項２４】
前記第１のランプ信号及び前記第２のランプ信号は両方とも、上りランプ部分及び下りランプ部分を含む、請求項２０に記載のパルス幅変調信号コントローラ。
【請求項２５】
前記第２のクロックを発生させるために前記第１のクロックを反転するための手段を更に含む、請求項２０に記載のパルス幅変調信号コントローラ。
【請求項２６】
前記３レベル降圧コンバータは、システムオンチップの一部であり、処理コアに動力供給するように構成される、請求項２０に記載のパルス幅変調信号コントローラ。